(57)【特許請求の範囲】
【請求項１】
建物開口部に設けた枠体内の一方に設けた固定障子と他方に設けていて移動可能な可動障子とを備えた上げ下げ窓であって、
前記可動障子の上框には、屋内側に、前記固定障子の下框と可動障子の上框の間隙を覆う樹脂製の引手部を備え、
前記固定障子の下框は屋内側に樹脂下框が設けられ、前記可動障子の上框は屋外側に金属上框が設けられ且つ屋内側に前記引手部が設けられ、
前記引手部は、前記樹脂下框及び前記金属上框の屋内側に設けられていて、密閉された断面筒状のホロー部を縦方向と横方向にそれぞれ複数形成していて、前記ホロー部が前記固定障子及び可動障子の間に延びていることを特徴とする上げ下げ窓。
【請求項２】
前記可動障子はパネルを挟んで対向する位置に補強金具をそれぞれ設けた請求項１に記載された上げ下げ窓。
【請求項３】
前記固定障子の下框は前記樹脂下框の屋外側に金属下框が設けられ、前記金属下框の屋内側端部が前記樹脂下框と前記固定障子及び可動障子の間で連結され、
前記可動障子の上框は前記金属上框の屋内側端部が前記ホロー部より屋外側で前記引手部と連結されている請求項１または２に記載された上げ下げ窓。
【発明の詳細な説明】
【技術分野】
【０００１】
本発明は、住宅やビル等の各種の建物の開口部に取り付けられた上げ下げ窓に関する。
【背景技術】
【０００２】
従来、建物の開口部に取り付けた枠体内に上障子と下障子を装着して、上障子を固定保持し、下障子を上下動可能にして開口可能な上げ下げ窓が知られている。この上げ下げ窓は障子を閉じた状態で枠体内に上障子と下障子とが上下方向に平板状に配設されており、その室内側の左右の縦枠に形成したガイド溝は、下端部から上方に向けて斜め方向に傾斜する傾斜溝と上下方向に延びる直線溝とを有している。そして、下障子はガイド溝に沿って開閉作動する。
【０００３】
図９に示す従来の上げ下げ窓１００では、下障子１０１の上框１０２にはパネルのグレージングチャンネル１０３を囲うようにアルミ合金製の金属上框１０４が形成されている。金属上框１０４には縦方向に延びる密閉空間のホロー部１０５ａを有する樹脂製の引手部１０５が連結されており、引手部１０５は下障子１０１の上框１０２の一部を構成している。金属上框１０４の上方に延びる屋内側端部１０４ａは下障子１０１の引手部１０５に沿って延びて固定され、金属上框１０４の下方に延びる屋内側端部１０４ｂは引手部１０５の下端部に固定されている。更に下障子１０１の下框１０６には樹脂製の引手片１０７に係合する金属下框１０８が固定されている。
【０００４】
特許文献１に記載された上げ下げ窓においても、枠体内に設けた下障子と上障子の間の間隙を、下障子の上框に設けた引手部によって覆っており、引手部は縦方向に延びる断面筒状のホロー部によって形成されて上障子と下障子の間の間隙を覆っている。
また、特許文献２に記載された上げ下げ窓も、同様に下障子の上框に設けた引手部は縦方向に延びる断面筒状のホロー部によって形成されて、上障子と下障子の間の間隙を覆っている。また、上下障子の各框はパネルの各グレージングチャンネルを囲うようにアルミ合金製の金属框を有している。
【先行技術文献】
【特許文献】
【０００５】
【特許文献１】特開２０１０−２１６１７２号公報
【特許文献２】特開２０１２−１８９７号公報
【発明の概要】
【発明が解決しようとする課題】
【０００６】
しかしながら、上述した従来例の上げ下げ窓では、下障子の引手部と引手片に金属框に連結した金属部材を固定したため、上框及び下框の屋内側に金属框の金属部材が位置することになり、屋内外の断熱性が低下するという欠点がある。
しかも、上述した従来例や特許文献１，２の上げ下げ窓では、下障子と上障子の間隙（召し合わせ部）を覆う引手部が横方向に単一のホロー部で形成されているにすぎないため、間隙部分の断熱性が小さいという欠点があった。なお、屋内側の金属部材を樹脂部材に代えると断熱性は向上するが、強度が低下する上に防火性能を確保できないという新たな欠点が生じる。
【０００７】
本発明は、このような課題に鑑みて、断熱性を高くすると共に強度と防火性能を向上させるようにした上げ下げ窓を提供することを目的とする。
【課題を解決するための手段】
【０００８】
本発明による上げ下げ窓は、建物開口部に取り付けた枠体内の一方に設けた固定障子と他方に設けていて移動可能な可動障子とを備えた上げ下げ窓であって、可動障子の上框には、屋内側に、固定障子の下框と可動障子の上框の間隙を覆う樹脂製の引手部を備え、前記固定障子の下框は屋内側に樹脂下框が設けられ、前記可動障子の上框は屋外側に金属上框が設けられ且つ屋内側に前記引手部が設けられ、前記引手部は、前記樹脂下框及び前記金属上框の屋内側に設けられていて、密閉された断面筒状のホロー部を縦方向と横方向にそれぞれ複数形成していて、前記ホロー部が前記固定障子及び可動障子の間に延びていることを特徴とする。
本発明によれば、枠体内の固定障子の下框と可動障子の上框の間隙を覆う樹脂製の引手部は、断面筒状のホロー部が縦方向と横方向にそれぞれ複数形成されているため、アルミ等の金属框の露出を抑えて屋内外の断熱性が高くなる。
【０００９】
また、可動障子はパネルを挟んで対向する位置に補強金具をそれぞれ設けることが好ましい。
可動障子は、パネルを挟んで対向する位置に補強金具をそれぞれ設けたため、固定障子と可動障子の間隙に樹脂製の引手部を設けてこの部分の強度が低下しても補強金具によって強度を補強でき、上障子と下障子の召し合わせ部分の剛性を高めてたわみを抑制でき、しかも補強金具によって防火性能が向上する。
【００１０】
また、前記固定障子の下框は前記樹脂下框の屋外側に金属下框が設けられ、前記金属下框の屋内側端部が前記樹脂下框と前記固定障子及び可動障子の間で連結され、
前記可動障子の上框は前記金属上框の屋内側端部が前記ホロー部より屋外側で前記引手部と連結されていることが好ましい。
【発明の効果】
【００１１】
本発明による上げ下げ窓によれば、可動障子の上框には、屋内側に、固定障子の下框と可動障子の上框の間隙を封止する樹脂製の引手部を備え、引手部は、密閉された断面筒状のホロー部を縦方向と横方向にそれぞれ複数形成しているため、引手部に形成した複数のホロー部によって屋内外の断熱性を高く維持でき、しかもアルミ等の金属框の露出を抑えて意匠性が向上する。
【図面の簡単な説明】
【００１２】
【図１】本発明の実施形態による上げ下げ窓の正面図である。
【図２】図１に示す上げ下げ窓の枠体を除いた上下障子とバランサーを示す説明図である。
【図３】図１に示す上げ下げ窓のＡ−Ａ線断面図である。
【図４】図３に示す上げ下げ窓の下障子と召し合わせ部の拡大断面図である。
【図５】図３に示す上げ下げ窓の上障子と上枠の拡大断面図である。
【図６】図１に示す上げ下げ窓のＢ−Ｂ線断面のラッチ錠装置と縦枠の部分拡大図である。
【図７】下障子が半開状態にある要部断面図である。
【図８】下障子が全開状態にある要部断面図である。
【図９】従来の上げ下げ窓の下障子と召し合わせ部の拡大断面図である。
【発明を実施するための形態】
【００１３】
以下、本発明の実施形態による上げ下げ窓１について添付図面によって説明する。
図１乃至図５は本発明の実施形態による上げ下げ窓１を示すものである。本実施形態による上げ下げ窓１は、図１に示すように建物の開口部に四角形枠状の枠体２と枠体２内に収められて密閉する上障子３及び下障子４とを備えている。
【００１４】
枠体２は、上枠６、下枠７、左右の縦枠８，９からなっている。枠体２内の上障子３は固定障子として枠体２に固定保持され、下障子４は可動障子として上下方向に昇降可能で開閉可能である。また、図２に示すように、左右の縦枠８，９内には上部にバランサー１１が設けられ、各バランサー１１から繰り出されるワイヤー１２の他端部は下障子４の下框２４の両端に設けた支持部材１３の支持部１３ａにそれぞれ係止されている。また、バランサー１１内にはワイヤー１２を巻き上げ方向に付勢する巻き上げばねが内蔵されており、下障子４の荷重とバランスして任意の高さ位置で下障子４を静止保持できる。
【００１５】
図３において、左右の縦枠８，９には下障子４の昇降をガイドするガイド溝１５が形成されている。ガイド溝１５は下枠７の部分から枠体２の屋内側に向けて傾斜して上方に延びる傾斜溝１５ａと上障子３と略平行に上枠６方向に延びる直線溝１５ｂとを有している。傾斜溝１５ａの水平面に対する傾斜角θは適宜設定できるものであるが、２５°から４５°の範囲に設定することが好ましい。
そして、上障子３と下障子４は閉鎖状態で枠体２内に略同一平面状に保持されて高い気密性と良好な意匠性を有しており、開口時には下障子４を傾斜させて左右の縦枠８，９に形成されたガイド溝１５に沿って上昇させることで開口するようになっている。
【００１６】
図１乃至図３において、上障子３は上框１７、下框１８、左右の縦框１９，２０によって四角形状に形成され、内部にパネルとして複層ガラス、例えばトリプルガラス２１が収納され、上障子３は枠体２に固定されている。同様に下障子４も上框２３、下框２４、左右の縦框２５，２６によって四角形状に形成され、内部にパネルとして複層ガラス、例えばトリプルガラス２７が収納されている。
なお、上障子３と下障子４はパネルとしてトリプルガラス２１に代えてぺアガラスや単層ガラス等を収納していてもよい。
【００１７】
そして、下障子４において、上框２３にはその屋内側に下障子４を屋内側に傾斜させる際に把持するための引手部３０が設けられている。引手部３０は樹脂製であり、上障子３の下框１８と下障子４の上框２３とその間の召し合わせ部の間隙２２とを覆うように、密閉された断面筒状の複数のホロー部３０ａが縦方向と横方向にそれぞれ形成されている。
これによって上障子３の下框１８と下障子４の上框２３と両者の間隙２２の断熱性を向上させている。そして、図３において、上げ下げ窓１の屋内側に樹脂製の引手部３０を配設して外観の意匠性を向上させ、しかも金属上框３４を屋外側に寄せて断熱性を高めている。
【００１８】
また、上框２３には、トリプルガラス２７を保持するグレージングチャンネル３２と引手部３０との間に上部補強金具３３が取り付けられてグレージングチャンネル３２を覆っている。上部補強金具３３は例えばスチール製等であり、屋内側の一端部から屋外側の他端部まで例えば階段状に形成されており、屋内側の一端部はグレージングチャンネル３２を覆って引手部３０の凹部に嵌合され、屋外側の他端部はアルミ合金製の金属上框３４の凹部に嵌合して固定されている。
【００１９】
また、下障子４における上框２３の見付け方向（幅方向）の両側部には、図６に示すように、後述するばね部材６８の弾性によって外側に突出するラッチ部材６７が設けられている。そして、下障子４を引手部３０で屋内側に傾斜させて、ラッチ部材６７をガイド溝１５の直線溝１５ｂに嵌合可能としている。
そして、下障子４を開閉する場合にはラッチ部材６７と支持部材１３が嵌合するガイド溝１５をガイドとして昇降可能とされている。また、上げ下げ窓１の清掃状態では、ラッチ部材６７がガイド溝１５を外れて更に屋内側に傾斜して保持されることになる。
【００２０】
次に図３及び図４に示す下障子４の下框２４において、トリプルガラス２７を保持するグレージングチャンネル３２は下部補強金具３６によって覆われており、その下側には樹脂下框３７が取り付けられている。下部補強金具３６は例えばスチール製等であり、屋内側の一端部から屋外側の他端部まで例えば階段状に形成されており、屋内側の一端部はグレージングチャンネル３２を覆って樹脂下框３７の凹部に嵌合され、屋外側の他端部はアルミ製の金属下框３８の凹部に嵌合して固定されている。
また、下部補強金具３６は上部補強金具３３と略対称に対向して形成されていてそれぞれグレージングチャンネル３２を介してトリプルガラス２７を上下に挟持する構成を有している。しかも、上框２３と下框２４の屋内側に引手部３０と樹脂下框３７をそれぞれ設置すると共に、金属上框３４と金属下框３８を屋外側に寄せて断熱性を高めたことによる下障子４の強度低下を両補強金具３３、３６で補強している。
【００２１】
また、下障子４に設けた樹脂下框３７はグレージングチャンネル３２の下部から下部補強金具３６を覆って屋内側に延びて断面階段状に形成されており、その屋内側端部には突出部として引手片３７ａが突出している。また、グレージングチャンネル３２の下部には樹脂下框３７に係合する金属下框３８が屋外側に延びて下部補強金具３６の他端部を嵌合すると共にその下方には支持部材１３が係合されている。しかも支持部材１３は下部補強金具３６にねじ固定されている。支持部材１３にはガイド溝１５に摺動可能に嵌合された支持部１３ａが設けられている。
【００２２】
また、図４に示すように、下障子４の下框２４と下枠７との間には下障子４と支持部材１３が回動して傾斜し昇降することを許容するための空間４２が形成されており、この空間４２はガイド溝１５の傾斜溝１５ａの屋内側に開口４２ａを有している。そして、樹脂下框３７の引手片３７ａが開口４２ａに突出して開口を狭めている。
また、開口４２ａを形成する下枠７には例えばアルミ合金製の金属下枠４４が形成され、金属下枠４４の屋外側端部４４ａに固定されたパッキン４５に閉鎖状態の下障子４の金属下框３８が当接して密閉している。金属下枠４４の屋内側の側部には硬質樹脂下枠４６が連結されて金属下枠４４を部分的に覆っている。
【００２３】
そして、硬質樹脂下枠４６の開口４２ａ側部分には第一軟質樹脂下枠４８が固定されてホロー部を形成し、その一部には引手片３７ａに対向して斜め下方に突出する第一ヒレ部４８ａが形成されていて空間４２の開口４２ａを狭めている。第一ヒレ部４８ａは樹脂製の引手片３７ａと関連して断熱性を向上できる。
図３及び図４に示す例では、第一ヒレ部４８ａは空間４２内に向けて下方に傾斜しており、操作者が下障子４を昇降させる際や子供等が誤って空間４２に指を挿入したとしても軟質樹脂であるため、容易に変位するので安全である。なお、第一ヒレ部４８ａの傾斜角度は任意である。
【００２４】
また、第一軟質樹脂下枠４８の奥側には第二軟質樹脂下枠４９が設けられ、第二軟質樹脂下枠４９に形成された矢じり部４９ｄが硬質樹脂下枠４６に形成した凹部４６ａに嵌合して固定されている。
そして、第二軟質樹脂下枠４９は断面筒状のホロー部を形成すると共にその一部は樹脂下框３７に延びてその下部に当接する第二ヒレ部４９ａを形成している。しかも、第二ヒレ部４９ａの先端部には金属下枠４４に向けて突出する１または複数（図では２つ）の補助ヒレ部４９ｂが形成されている。
【００２５】
第二ヒレ部４９ａは空間４２を封止しているために断熱性が高く、また、補助ヒレ部４９ｂによっても断熱性を向上できる。更に、第二軟質樹脂下枠４９には第一軟質樹脂下枠４８に当接してホロー部を形成する第三ヒレ部４９ｃも形成され、下枠７の部分の断熱性を高めている。
なお、第一及び第二軟質樹脂下枠４８，４９は硬質樹脂下枠４６や樹脂下框３７よりも軟質で弾性変形し易い材料で形成されている。
【００２６】
また、図５に示す枠体２の上枠６において、上障子３のトリプルガラス２１を覆うグレージングチャンネル５１を囲う金属上框５２が屋外側に寄せて形成され、金属上框５２の屋内側には樹脂上框５３が連結されている。金属上框５２の屋外側端部は上枠６の金属上枠５４の屋外側端部に設けた凹部５４ａに嵌合されたパッキン５５に当接することでシールされる。
【００２７】
また、上枠６の金属上枠５４の屋内側には樹脂上枠５７が形成され、樹脂上枠５７は上障子３の屋内側において縦方向と横方向に複数のホロー部５７ａがそれぞれ形成されている。そして、樹脂上枠５７の屋外側の端部には樹脂上框５３に当接する第一パッキン５９を設けてシールしている。そのため、枠体２に対して上障子３の取り付け位置が多少ずれた場合や誤差がある場合等でも第一パッキン５９によって封止できる。
また、上障子３の下框１８にはグレージングチャンネル５１を覆う樹脂下框６１が屋内側に設けられ、屋外側には金属下框６２が連結されている。そして、引手部３０の屋外側の端部には樹脂下框６１に当接する第二パッキン６３を設けてシールしている。そのため、上障子３に対して下障子４の取り付け位置が多少ずれた場合や誤差がある場合でも第二パッキン６３によって封止できる。
【００２８】
図６は下障子４に設けた左右のラッチ錠装置６５の一方を代表して示すものである。下障子４の上框２３内の左右の側部にそれぞれ設けたラッチ錠装置６５は、基板６６にラッチ部材６７が縦枠８、９方向にそれぞれ進退可能に配設され、各ラッチ部材６７に設けたばね部材６８によって突出方向に付勢されている。また、基板６６に進退可能に設けた摺動棒６９は操作部６９ａに連結されている。縦枠８、９には突出する摺動棒６９が係合する凹溝７０が形成され、摺動棒６９は操作部６９ａによって係脱可能とされている。そして、摺動棒６９を凹溝７０から外した状態で、下障子４を傾斜させることで、ラッチ部材６７がガイド溝１５に嵌合可能になる。
【００２９】
本実施形態による上げ下げ窓１は上述の構成を備えており、次にその作用を説明する。
図１及び図３に示すように下障子４が閉鎖状態にある場合には、枠体２内で上障子３と下障子４が同一面状に設置されて気密性を保持している。また、下障子４の下框２４と下枠７との空間４２は下枠７に設けた第二軟質樹脂下枠４９の第二ヒレ部４９ａで閉塞され、更に開口４２ａは樹脂下框３７の引手片３７ａと第一軟質樹脂下枠４８の第一ヒレ部４８ａとで狭めているので断熱性が高い。
【００３０】
この状態から、下障子４を開口作動するには、上框２３の両側に設けた各ラッチ錠装置６５の摺動棒６９を縦枠８，９から外し、下障子４の引手部３０を操作者が把持して屋内側に引く。すると、図７に示すように、下障子４は下端の支持部材１３を中心に見込み方向屋内側に回動し、ラッチ部材６７がガイド溝１５の直線溝１５ｂに嵌合する位置で下障子４が傾斜状態に保持され、半開状態になる。
すると、下障子４の傾斜によって樹脂下框３７が回動して第二軟質樹脂下枠４９の第二ヒレ部４９ａを下方に押動して湾曲させ、空間４２の閉鎖状態を維持する。しかも、樹脂下框３７の引手片３７ａも下方に傾斜するため、第一ヒレ部４８ａにより近接する位置にくる。
【００３１】
そして、操作者が引手部３０、そして引手片３７ａを手で持ち上げて下障子４をガイド溝１５に沿って上昇させると、下障子４は下框２４に固定した支持部材１３とラッチ部材６７がガイド溝１５の傾斜溝１５ａと直線溝１５ｂに沿って上昇するため、図８に示すように、下障子４は上方に開口作動して全開状態になる。この状態で第二ヒレ部４９ａは空間４２内で水平状態に復帰して保持される。なお、下障子４は、支持部１３ａを引き上げるワイヤー１２の上端を連結したバランサー１１内の巻き上げばねの付勢力によって任意の開口位置で停止する。
【００３２】
次に全開状態の下障子４を閉鎖させるには、図８に示す下障子４がガイド溝１５の直線溝１５ｂで上障子３と平行に保持された位置から、操作者が引手部３０や引手片３７ａを把持してガイド溝１５に沿って下障子４を降下させる。そして、図７に示すように、下障子４は支持部材１３が傾斜溝１５ａの下端に到達した傾斜状態に保持される。次いで、支持部材１３を支点として下障子４を見込み方向屋外側に回動させることでラッチ部材６７をガイド溝１５から外してその屋外側に設けた縦枠８，９に当接する。そして、摺動棒６９を凹溝７０に嵌合させ、下障子４は図３に示す上障子３と平面状に重なった閉鎖位置に至る。
【００３３】
上述のように本実施形態による上げ下げ窓１によれば、上障子３の下框１８と下障子４の上框２３とその間の間隙２２とを覆う引手部３０に縦横方向に複数のホロー部３０ａをそれぞれ形成し、しかも一部のホロー部３０ａは間隙２２内に位置するから、高い断熱性を得られる。
また、上枠６においても、上障子３の上框１７の屋内側に複数のホロー部５７ａを縦横方向に形成した樹脂上枠５７を設けたから、この部分の断熱性も高い。
【００３４】
しかも、樹脂製の引手部３０と樹脂下框３７の位置に関連して、下障子４の金属上框３４と金属下框３８を屋外側に寄せて位置させたことで下障子４を開閉する引手部３０や引手片３７ａの部分の剛性と強度が低下するが、上部補強金具３３と下部補強金具３６をトリプルガラス２７を挟んで対向する位置に設けたことで下障子４と引手部３０や引手片３７ａの部分の強度を補強でき、下框２４のぐらつきをなくして防火性能を向上できる。更に上部補強金具３３を設けたことで上下障子３，４間の召し合わせ部である間隙２２の剛性を補強できる。
また、樹脂上枠５７と上障子３の樹脂上框５３との間に第一パッキン５９を、引手部３０と樹脂下框６１との間に第二パッキン６３をそれぞれ設けたから、上障子３や下障子４の取り付け位置のずれや誤差等を吸収してシールすることができて断熱性を向上できる。
【００３５】
なお、本発明による上げ下げ窓１は、上述した実施形態に限定されるものではなく、本発明の要旨を逸脱しない範囲で適宜の変更や置換等が可能である。
例えば、上述した実施形態による上げ下げ窓１では、下障子４の上框２３に設けた引手部３０について上框２３と上障子３の下框１８を覆うように形成したが、このような構成に限定されるものではなく、少なくとも下障子４と上障子３の間隙２２を覆う構成を備えていればよい。
【００３６】
また、上述した実施形態による上げ下げ窓１では、上障子３と下障子４はパネルとしてトリプルガラス２１、２７を収納した構成であるが、本発明はこのような上障子３と下障子４に限定されるものではなく、パネルが単層ガラスやペアガラスであってもよい。これらの場合には、上下障子３、４の見込み方向の厚みが比較的小さくなるため、開口４２ａの引手片３７ａから下枠７の第一ヒレ部４８ａまでの距離をより短い寸法に設定できる。
【符号の説明】
【００３７】
１  上げ下げ窓
２  枠体
３  上障子
４  下障子
７  下枠
８，９  縦枠
１１  バランサー
１２  ワイヤー
１３  支持部材
１３ａ  支持部
１５  ガイド溝
１５ａ  傾斜溝
１５ｂ  直線溝
２１、２７  トリプルガラス
２２  間隙
２３  上框
２４  下框
３０  引手部
３０ａ、５７ａ  ホロー部
３３  上部補強金具
３４  金属上框
３６  下部補強金具
３７  樹脂下框
３７ａ  引手片
３８  金属下框
４０  支持部材
４０ａ  支持部
５７  樹脂上枠
５９  第一パッキン
６３  第二パッキン
【図１】
0006401518.tif 000002
【図２】
0006401518.tif 000003
【図３】
0006401518.tif 000004
【図４】
0006401518.tif 000005
【図５】
0006401518.tif 000006
【図６】
0006401518.tif 000007
【図７】
0006401518.tif 000008
【図８】
0006401518.tif 000009
【図９】
0006401518.tif 000010